(57)【特許請求の範囲】
【請求項１】
壁体を構成するランナーを梁に固定するためのランナー固定金物であって、
該ランナー固定金物は、
前記ランナーを支持するための本体部と、前記梁と連結するための係止部と、を少なくとも有して構成されており、
前記本体部は、平板状の天面部と、該天面部から垂下する複数の側面部とを備え、
前記側面部は、前記ランナーを挟持し、
前記係止部は、前記天面部より、前記側面部が垂下する側と反対側に突出して配設されるとともに、前記梁を把持することにより前記梁に係止されるものであり、
前記側面部の自由端辺には、前記天面部方向に折返り、前記ランナーの自由端辺をその折返し内隅に係止する端部支持縁が形成されており、
前記係止部は、前記天面部の前記側面部が垂下する側の面より、該天面部に対して鋭角を成して、前記側面部が垂下する方向であって、前記天面部の中央部側に向けて延出するように配設される下部バネ部を有して構成されており、
前記ランナーは、前記端部支持縁の折返し内隅と、前記下部バネ部の自由端辺との間に把持されることを特徴とするランナー固定金物。
【請求項２】
前記係止部は、前記天面部より、前記側面部が垂下する側と反対方向側に突出するよう配設される上部把持部を複数備え、
該上部把持部の自由端辺には、前記梁が把持される側に突出した押圧爪部が形成されており、
前記押圧爪部は、前記梁の下端板の上面側を押圧することにより、前記梁の下端板を前記天面部と前記押圧爪部との間に係止することを特徴とする請求項１に記載のランナー固定金物。
【請求項３】
前記係止部は、前記天面部より、該天面部に対して鋭角を成して、前記押圧爪部が配設される方向であって、前記天面部の中央部側に向けて延出するように配設される上部バネ部を有して構成されており、
前記梁の下端板は、前記押圧爪部と前記上部バネ部の自由端辺との間に挟持されることを特徴とする請求項２に記載のランナー固定金物。
【発明の詳細な説明】
【技術分野】
【０００１】
本発明は、壁内のスタッドを建て込むためのランナーを梁に固定するためのランナー固定金物であって、特に、ボルトレスで取付可能なランナー固定金物に関するものである。
【背景技術】
【０００２】
住宅の外壁、界壁、間仕切り壁等を配設する際に用いられる構造として、Ｈ形鋼等が使用された梁材に、下地鋼材である長尺のランナーを水平方向に延びるように固定し、このランナーに、壁パネルの横枠や複数の胴縁（スタッド）を取り付けるものが一般的に知られている。
このように、梁材に下地鋼材等を固定するための金物が種々提案されている（例えば、特許文献１参照）。
【０００３】
特許文献１には、ランナー固定金具が開示されている。
特許文献１記載のランナー固定金具は、断面略Ｃ字形状の下地材と、この下地材の一端近傍に固定され、係合部を有する係合片と、この係合片から鉄骨梁の下フランジの幅に相当する間隔をおいて固定され、係合部を有する係合バネ片とから構成される。
このランナー固定金具は、鉄骨梁の下フランジの左右端縁に係合片の係合部及び係合バネ片の係合部をそれぞれ係合させて鉄骨梁の下フランジを下地材の当接部との間で挟持するよう構成される。
そして、ランナーは、このランナー固定金具の取り付け部にビス固定される。
【先行技術文献】
【特許文献】
【０００４】
【特許文献１】特開平１０−０７２８９０号公報
【発明の概要】
【発明が解決しようとする課題】
【０００５】
このように、特許文献１等の従来技術においては、ランナーを固定する際には、ランナー固定金具の取り付け部にランナーをビス固定する必要がある。
このため、作業が煩雑となり、コストが高くなるという問題点があった。
【０００６】
本発明の目的は、上記各問題点を解決することにあり、ボルト固定が不要で簡易に配設可能であり、壁体立設作業における工数及びコストを削減することが可能なランナー固定金物を提供することにある。
【課題を解決するための手段】
【０００７】
上記課題は、請求項１に係るランナー固定金物によれば、壁体を構成するランナーを梁に固定するためのランナー固定金物であって、該ランナー固定金物は、前記ランナーを支持するための本体部と、前記梁と連結するための係止部と、を少なくとも有して構成されており、前記本体部は、平板状の天面部と、該天面部から垂下する複数の側面部とを備え、前記側面部は、前記ランナーを挟持し、前記係止部は、前記天面部より、前記側面部が垂下する側と反対側に突出して配設されるとともに、前記梁を把持することにより前記梁に係止されるものであり、前記側面部の自由端辺には、前記天面部方向に折返り、前記ランナーの自由端辺をその折返し内隅に係止する端部支持縁が形成されており、前記係止部は、前記天面部の前記側面部が垂下する側の面より、該天面部に対して鋭角を成して、前記側面部が垂下する方向であって、前記天面部の中央部側に向けて延出するように配設される下部バネ部を有して構成されており、前記ランナーは、前記端部支持縁の折返し内隅と、前記下部バネ部の自由端辺との間に把持されることにより解決される。
【０００８】
また、具体的には、請求項１に係るランナー固定金物において、前記係止部は、前記天面部より、前記側面部が垂下する側と反対方向側に突出するよう配設される上部把持部を複数備え、該上部把持部の自由端辺には、前記梁が把持される側に突出した押圧爪部が形成されており、前記押圧爪部は、前記梁の下端板の上面側を押圧することにより、前記梁の下端板を前記天面部と前記押圧爪部との間に係止するよう構成されていると好適である。
【０００９】
更に、このランナーの施工方法を説明すると、ランナー固定金物は、ランナーを支持するための本体部と、梁と連結するための係止部と、を少なくとも有して構成されており、本体部は、平板状の天面部と、該天面部から垂下する複数の側面部とを備え、係止部は、天面部より、側面部が垂下する側と反対方向側に突出するよう配設される上部把持部を複数備え、梁の下端板を、複数の上部把持部にて把持する第１の工程と、ランナーを、複数の前記側面部にて挟持する第２の工程とを行うこととなる。
【００１０】
このように、本発明に係るランナー固定金物によれば、ランナーを支持するための本体部と、梁と連結するための係止部と、を少なくとも有して構成されている。
そして、この本体部は、平板状の天面部と、天面部から垂下する複数の側面部とを備えており、この係止部は、天面部より、側面部が垂下する側と反対側に突出して配設される。
【００１１】
このように構成されているため、側面部は、ランナーを挟持することができるとともに、係止部で梁を把持することができ、よって、梁にランナーが固定される。
このため、ボルト及びビスによる固定が不要となり、ボルト留め及びビス留めの手間が無くなることとなり施工性が向上する。
更に、工数を低減することができるとともに、コストもまた低減することができる。
なお、梁としては、例えばＨ形鋼等、上下方向に下端板となる部分やフランジ部分が存在するものであればどのような鋼材でもよい。
【００１２】
また、具体的には、前記係止部は、前記天面部より、該天面部に対して鋭角を成して、前記押圧爪部が配設される方向であって、前記天面部の中央部側に向けて延出するように配設される上部バネ部を有して構成されており、前記梁の下端板は、前記押圧爪部と前記上部バネ部の自由端辺との間に挟持されるよう構成されていると好適である。
【００１３】
このように構成されていると、梁の下端板は、押圧爪部と上部バネ部との間に確実に挟持される。
つまり、上部バネ部の上方向への復元力と押圧爪部による係止力により、梁の下端板は確実強固に挟持される。
また、上部バネ部の可撓性により、梁の下端板の厚さが変わっても、挟持力を保持することができ、梁に対するサイズ対応の柔軟性が増す。
【００１４】
更に、具体的には、前記側面部の自由端辺には、前記天面部方向に折返る端部支持縁が形成されており、前記ランナーの自由端辺は、前記端部支持縁の折返し内隅に係止されるよう構成されていると好適である。
なお、更に具体的には、前記係止部は、前記天面部の前記側面部が垂下する側の面より、該天面部に対して鋭角を成して、前記側面部が垂下する方向であって、前記天面部の中央部側に向けて延出するように配設される下部バネ部を有して構成されており、前記ランナーは、前記端部支持縁の折返し内隅と、前記下部バネ部の自由端辺との間に把持されるよう構成されていると好適である。
【００１５】
このように構成されていると、ランナーは、端部支持縁の折返し内隅と、下部バネ部の自由端辺との間に確実に把持される。
つまり、端部支持縁の折返し内隅がランナーを上部方向へ係止する力と、下部バネ部の下方向への復元力により、ランナーは確実に把持される。
また、下部バネ部の可撓性により、ランナーの側面のサイズが変わっても、挟持力を保持することができ、ランナーに対するサイズ対応の柔軟性が増す。
ランナーは、断面コ字形状の溝形鋼が好適に使用される。
【００１６】
また、ランナー固定金物を用いたランナー施工方法を更に詳しく説明すると、係止部は、天面部より、該天面部に対して鋭角を成して、前記押圧爪部が配設される方向であって、前記天面部の中央部側に向けて延出するように配設される上部バネ部と、天面部の側面部が垂下する側の面より、天面部に対して鋭角を成して、側面部が垂下する方向であって、天面部の中央部側に向けて延出するように配設される下部バネ部とを有して構成されており、側面部の自由端辺には、天面部方向に折返る端部支持縁が形成されており、第１の工程においては、梁の下端板は、押圧爪部と上部バネ部の自由端辺との間に挟持され、第２の工程においては、ランナーは、端部支持縁の折返し内隅と、下部バネ部の自由端辺との間に把持されるよう構成されていると好適である。
このように構成されていると、確実にランナーを施工することができる。
【発明の効果】
【００１７】
本発明に係るランナー固定金物によれば、本体部は、平板状の天面部と、天面部から垂下する複数の側面部とを備えており、係止部は、天面部より、側面部が垂下する側と反対側に突出して配設される。
このように構成されているため、側面部は、ランナーを挟持することができるとともに、係止部で梁を把持することができ、よって、ランナー固定金物を介して梁にランナーが固定される。
このため、ボルト及びビスによる固定が不要となり、ボルト留め及びビス留めの手間が無くなることとなり施工性が向上する。
更に、工数を低減することができるとともに、コストもまた低減することができる。
【００１８】
また、上部バネ部の上方向への復元力と押圧爪部による係止力により、梁の下端板が確実強固に挟持されるとともに、端部支持縁の折返し内隅がランナーを上部方向へ係止する力と、下部バネ部の下方向への復元力により、ランナーが確実に把持される。
更に、上部バネ部及び下部バネ部の可撓性により、梁の下端板の厚さ及びランナーの側面のサイズが変わっても、挟持力を保持することができ、梁及びランナーのサイズに対する対応柔軟性が増す。
【図面の簡単な説明】
【００１９】
【図１】本発明の一実施形態に係るランナー固定金物を示す斜視図である。
【図２】本発明の一実施形態に係るランナー固定金物を示す正面図である。
【図３】本発明の一実施形態に係るランナー固定金物を示す上面図である。
【図４】本発明の一実施形態に係るランナー固定金物を示す側面図である。
【図５】本発明の一実施形態に係るランナー固定金物の配置状態を示す説明図である。
【図６】本発明の一実施形態に係るランナー固定金物を用いたランナー施工工程を示す工程図である。
【発明を実施するための形態】
【００２０】
以下、本発明の一実施形態を図面に基づいて説明する。
なお、以下に説明する構成は本発明を限定するものでなく、本発明の趣旨の範囲内で種々改変することができるものである。
【００２１】
本実施形態は、ボルト固定が不要で簡易に配設可能であり、壁体立設作業における工数及びコストを削減することが可能なランナー固定金物及びこれを使用したランナー施工方法に関するものである。
【００２２】
図１乃至図６は、本発明に係る一実施形態を示すものであり、図１はランナー固定金物を示す斜視図、図２はランナー固定金物を示す正面図、図３はランナー固定金物を示す上面図、図４はランナー固定金物を示す側面図、図５はランナー固定金物の配置状態を示す説明図、図６はランナー固定金物を用いたランナー施工工程を示す工程図である。
【００２３】
まず、図１乃至図４により、本実施形態に係るランナー固定金物Ｓについて説明する。
本実施形態に係るランナー固定金物Ｓは、本体部１、及び２個の係止部２，２を有して構成されている。
【００２４】
本実施形態に係る本体部１は、天面部１１、２個の側面部１２，１２を有して構成されている。
本実施形態に係る天面部１１は、平板略矩形状平板部であり、その相対向する短辺側には、バネ部貫通孔１１ａ，１１ａ（図３参照）が各々形成されている。
このバネ部貫通孔１１ａ，１１ａは、短辺が延びる方向に長軸を有する略楕円形状に形成されている。
また、天面部１１には、長辺に沿って上方向に突起させた突起部１１ｂ，１１ｂが形成されており、強度向上がはかられている（図３参照）。
【００２５】
本実施形態に係る側面部１２，１２は、天面部１１の相対向する短辺から同方向に各々起立している。
このように、本実施形態に係る本体部１は、天面部１１及び２個の側面部１２，１２により、断面略コ字の形状を有している。
【００２６】
また、側面部１２，１２は、天面部１１に対して鋭角を成すように起立している。
つまり、側面部１２，１２は、平行に起立するのではなく、自由端部側にいくにつれて互いに近接するように起立している。
【００２７】
換言すれば、側面部１２，１２は、自由端辺側の距離が、その基部（天面部１１と連続する端辺部）間の距離よりも小さくなるように起立している。
これは、側面部１２，１２間にランナーＲを挟持する際には、側面部１２，１２を押し広げた状態でランナーＲを嵌入するが、このとき、側面部１２，１２の復元力によりランナーＲを確実に固定するためである。
【００２８】
また、側面部１２，１２の自由端側は、内側方向上側に折り返された端部支持縁１２ａ，１２ａが各々形成されている。
後述するが、この端部支持縁１２ａ，１２ａには、ランナーＲの長手方向に延びる自由端辺Ｒ２１，Ｒ２１が支持固定される。
【００２９】
本実施形態に係る係止部２は、取付部２１、上部把持部２２、上部バネ部２３、下部バネ部２４を有して構成されている。
取付部２１は、略矩形平板状部であり、本体部１を構成する天面部１１に固定される。
上部把持部２２は、取付部２１の外側端辺から略垂直上方に起立している。
上部把持部２２の上端辺側には、内側に突出するように屈曲した押圧爪部２２ａが形成されている。
この押圧爪部２２ａは、梁Ｈの下側フランジＨ１の上側面を上から押圧固定する。
【００３０】
上部バネ部２３は、取付部２１の内側端辺（上部把持部２２が起立している側の辺と対向する辺）から、取付部２１と鈍角を成して上部内側へ向かい延出している。
また、下部バネ部２４は、取付部２１の内側端辺（上部把持部２２が起立している側の辺と対向する辺）の略中央部分から、取付部２１と鈍角を成して下部内側に向かい延出している。
【００３１】
つまり、上部バネ部２３と下部バネ部２４は、取付部２１の内側端辺（上部把持部２２が起立している側の辺と対向する辺）から、各々上下方向に向けて延出している。
なお、下部バネ部２４は、天面部１１の形成されたバネ部貫通孔１１ａを貫通し、下部方向へ向けて突出するように配設される。
また、後述するが、これら上部バネ部２３及び下部バネ部２４は、梁Ｈ及びランナーＲを各々押圧して挟持固定に寄与することとなる。
【００３２】
このように、本実施形態に係るランナー固定金物Ｓは、断面略コ字形状の本体部１を構成する天面部１１の上面（天面部１１から側面部１２，１２が垂下する方向と反対側を向く面）に２個の係止部２，２が固定された部材である。
なお、天面部１１から側面部１２，１２が垂下する方向を下部側、その反対側の方向を上部側と記す。
【００３３】
このとき、係止部２は、上部把持部２２が天面部１１の外側端辺側に配置され、上部把持部２２の自由端辺部が上方へ向くように配設される。
また、係止部２を構成する下部バネ部２４は、天面部１１の形成されたバネ部貫通孔１１ａを貫通し、天面部１１及び側面部１２，１２で囲まれた空間内に配設されるとともに、下部方向へ向けて突出するように配設される。
【００３４】
このとき、下部バネ部２４は、下側へ向かうにつれ内側に延びるように配設される。
つまり、両下部バネ部２４，２４は、下側へ向かうにつれ、互いに近接するように延びている。
【００３５】
更に、このとき、上部バネ部２３は、天面部１１から上方向へと延びており、上側へ向かうにつれ内側に延びるように配設される。
つまり、両上部バネ部２３，２３は、上側へ向かうにつれ、互いに近接するように延びている。
【００３６】
次いで、図５により、本実施形態に係るランナー固定金物Ｓの使用状態を説明する。
本実施形態においては、梁ＨとしてＨ形鋼が使用され、ランナーＲとしてはコ字形鋼材が使用される。
ただし、これは説明のための一例であり、本発明の趣旨を逸脱しない範囲であれば、梁Ｈ及びランナーＲとしてどのような鋼材が使用されていてもよい。
梁Ｈの下部側フランジＨ１は、係止部２を構成する上部把持部２２，２２により把持される。
【００３７】
このとき、梁Ｈの下部側フランジＨ１は、上部把持部２２に形成された押圧爪部２２ａの下方側に配設される。
つまり、梁Ｈの下部側フランジＨ１は、上部把持部２２に形成された押圧爪部２２ａ，２２ａ、及び上部バネ部２３，２３間に把持される。
【００３８】
換言すると、梁Ｈの下部側フランジＨ１下面側は、上部バネ部２３，２３の復元力により上側に押圧されるともに、下側フランジＨ１上面側は、押圧爪部２２ａ，２２ａの復元力により下側に押圧される。
よって、下側フランジＨ１は、上部把持部２２に形成された押圧爪部２２ａ，２２ａ、及び上部バネ部２３，２３間において両者に上下方向に押圧されて確実に把持されることとなる。
【００３９】
また、ランナーＲは、本体部１の内側（つまり、天面部１１、側面部１２，１２で囲まれた空間）に支持される。
ランナーＲは、略長方形状に形成されたランナー天面部Ｒ１と、このランナー天面部Ｒ１の相対向する長辺から略垂直同方向に起立するランナー側面部Ｒ２,Ｒ２とで構成された断面略コ字形状の部材である。
【００４０】
ランナーＲは、ランナー側面部Ｒ２，Ｒ２の自由端辺Ｒ２１，Ｒ２１が、端部支持縁１２ａ，１２ａに支持されるとともに、ランナー天面部Ｒ１の上面側が下部バネ部２４，２４で押圧された状態で固定される。
【００４１】
つまり、ランナーＲのランナー天面部Ｒ１上面側は、下部バネ部２４，２４の復元力により下側に押圧されるともに、ランナー側面部Ｒ２，Ｒ２の自由端辺Ｒ２１，Ｒ２１が、端部支持縁１２ａ，１２ａにより上側方向に支持される。
よって、ランナーＲは、下部バネ部２４，２４及び端部支持縁１２ａ，１２ａ間において両者に上下方向に挟持される。
【００４２】
このように、本実施形態におけるランナー固定金物Ｓは、その上部において、梁Ｈの下側フランジＨ１を、上部把持部２２に形成された押圧爪部２２ａ，２２ａ及び上部バネ部２３，２３によって上下方向に挟み込むことにより梁Ｈに固定される。
また、ランナー固定金物Ｓは、その下部において、ランナーＲを、下部バネ部２４，２４及び端部支持縁１２ａ，１２ａによって、上下方向に支持することにより、ランナーＲを固定する。
【００４３】
以上のように、本実施形態におけるランナー固定金物Ｓはその上部において梁Ｈに固定され、その下部においてランナーＲを支持することが可能である。
よって、本実施形態においては、ランナー固定金物Ｓを介してランナーＲを梁Ｈに固定することが可能となる。
【００４４】
図６により、本実施形態に係るランナー固定金物Ｓを使用したランナー固定方法を説明する。
まず、工程１に示すように、梁Ｈを構成する下側フランジＨ１にランナー固定金物Ｓを固定する。
これは、前述の通り、梁Ｈの下側フランジＨ１を、上部把持部２２に形成された押圧爪部２２ａ，２２ａ及び上部バネ部２３，２３によって上下方向に挟み込むことにより固定作業を行う。
【００４５】
この際、押圧爪部２２ａ，２２ａに下側フランジＨ１を押し当てた後上部へ押圧して、下側フランジＨ１にランナー固定金物Ｓを押し込むのであるが、このように上部へ押圧するに従い、押圧爪部２２ａ，２２ａは、その傾斜に沿って徐々に押し開かれる（互いの距離が大きくなる）。
【００４６】
そして、傾斜の終端部（押圧爪部２２ａ，２２ａの突起頂部）が下側フランジＨ１の厚みを過ぎると（つまり、下側フランジＨ１の上面を通過すると）、徐々に押し広げられた押圧爪部２２ａ，２２ａが復元力により元に戻り、傾斜の終端部（押圧爪部２２ａ，２２ａの突起頂部）が下側フランジＨ１の上面上に載置される。
【００４７】
このとき、下側フランジＨ１の下面側は、上部バネ部２３，２３を下側に押圧することになり、よって、この上部バネ部２３，２３の復元力により下側フランジＨ１は上部方向に押圧される。
しかし、前述の通り、下側フランジＨ１の上面側は、押圧爪部２２ａ，２２ａにより上部への移動が規制されるとともに、この押圧爪部２２ａ，２２ａから下側方向の押圧力を受ける。
【００４８】
よって、下側フランジＨ１は、上部把持部２２に形成された押圧爪部２２ａ，２２ａ、及び上部バネ部２３，２３間において両者に上下方向に押圧されて確実に把持されることとなる。
なお、上側バネ部２３，２３が板バネ構造となっているため、上記のように押圧力に付与源として機能することに加えて、異なるサイズの梁Ｈに柔軟に対応することが可能となる。
【００４９】
つまり、上部バネ部２３，２３が板バネとして機能するため、梁Ｈの下側フランジＨ１の厚さが（調整範囲内において）異なっても、板バネの調整範囲内で上部方向への押圧力を付与し、下側フランジ部Ｈ１とランナー固定金物Ｓ（の天面部１１上側面）との間に機能的間隙がなくなり、ランナー固定金物Ｓをサイズの異なる梁Ｈへ確実に固定することができる。
【００５０】
次いで、工程２に示すように、ランナー固定金物ＳにランナーＲを固定する。
これは、前述の通り、ランナーＲのランナー天面部Ｒ１上面側を、下部バネ部２４，２４の復元力により下側に押圧するともに、ランナー側面部Ｒ２，Ｒ２の自由端辺Ｒ２１，Ｒ２１を、端部支持縁１２ａ，１２ａにより上側方向に支持することにより行う。
【００５１】
この際、ランナー固定金物Ｓの下方側より、ランナーＲを押し上げて、天面部１１及び側面部１２，１２に囲まれた空間にランナーＲを嵌入する。
そして、ランナー側面部Ｒ２，Ｒ２の下端辺が端部支持縁１２ａ，１２ａの自由端辺を通過すると、ランナー側面部Ｒ２，Ｒ２の下端辺が端部支持縁１２ａ，１２ａの内側に入り込みこの部分に支持される。
【００５２】
また、このとき、ランナー天面部Ｒ１の上面側が下部バネ部２４，２４で押圧された状態で固定される。
このように、ランナーＲは、下部バネ部２４，２４及び端部支持縁１２ａ，１２ａ間において両者に上下方向に挟持されることとなる。
なお、下部バネ部２４，２４による押圧力付与及びランナーＲの異なるサイズへの適応等に機能については、上部バネ部と同様である。
次いで、工程３に示すように、ランナーＲにスタッドを固定する。
【００５３】
以上のように、本実施形態に係るランナー固定金物Ｓは、ボルト等による固定を必要とせず、ワンタッチで梁Ｈに固定することができる。
よって、施工性が向上する。
また、上部バネ部２３及び下部バネ部２４を備えることにより、梁Ｈ及びランナーＲのサイズに柔軟に対応することが可能となるとともに、この上部バネ部２３及び下部バネ部２４の復元力と、押圧爪部２２ａ及び端部支持縁１２ａの係止力により、ランナー固定金物Ｓを確実に固定することが可能となる。
【符号の説明】
【００５４】
１  本体部
１１  天面部
１１ａ  バネ部貫通孔
１１ｂ  突起部
１２  側面部
１２ａ  端部支持縁
２  係止部
２１  取付部
２２  上部把持部
２２ａ  押圧爪部
２３  上部バネ部
２４  下部バネ部
Ｈ  梁
Ｈ１  下側フランジ
Ｒ  ランナー
Ｒ１  ランナー天面部
Ｒ２  ランナー側面部
Ｒ２１  自由端辺
Ｓ  ランナー固定金物
【図１】
0005662720.tif 000002
【図２】
0005662720.tif 000003
【図３】
0005662720.tif 000004
【図４】
0005662720.tif 000005
【図５】
0005662720.tif 000006
【図６】
0005662720.tif 000007